(57)【要約】【課題】  枠体を取水管に取り付けることが容易で、取水部構造を組み立てる手間を省くことができる取水管の取水部構造を提供する。【解決手段】  取水管１０の先端部の外周に、この取水管１０の取水口１０ａを水底から離した状態で保持する枠体１２が取り付けられており、枠体１２が中心筒体１６と囲い枠とから構成され、枠体１２が二分割され、半割枠体１２Ａ、１２Ｂを半割筒体１６Ａ、１６Ｂで取水管１０の先端部を挟み付けて締め付けることにより、取水管１０に取り付けられた取水部構造において、取水管１０の先端部と中心筒体１６の半割筒体１６Ａ、１６Ｂとの間に、半球凹面３６ａを有する第１係合部材３６とこの半球凹面３６ａに係合する半球凸面３８ａを有する第２係合部材３８とからなり、その一方が取水管１０側に、他方が半割筒体１６Ａ、１６Ｂ側に取り付けられる枠体移動防止手段３４が設けられる。【選択図】        図４
2006316519.tif 000002
【特許請求の範囲】
【請求項１】
取水管の先端部の外周に、この取水管の取水口を水底から離した状態で保持する枠体が取り付けられたものであって、枠体が中心筒体と囲い枠とから構成され、枠体がその中心軸線を通る面で二分割され、二分割された半割枠体を半割筒体で取水管の先端部を挟み付けて締め付けることにより、取水管に取り付けられた取水管の取水部構造において、取水管の先端部と中心筒体の半割筒体との間に、半球凹面を有する第１係合部材とこの半球凹面に係合する半球凸面を有する第２係合部材とからなり、第１、第２係合部材の一方が取水管の先端部側に、他方が半割筒体側に取り付けられる枠体移動防止手段が設けられていることを特徴とする取水管の取水部構造。
【請求項２】
前記枠体移動防止手段が一対の第１係合部材と一対の第２係合部材とからなり、第１係合部材が半割筒体の内周面に、半球凹面が相対するように内向きに間隔をおいて取り付けられ、第２係合部材が取水管の先端部に設けられた端末金具の外周面に、半球凸面が対立するように外向きに間隔をおいて取り付けられていることを特徴とする請求項１記載の取水管の取水部構造。
【発明の詳細な説明】
【技術分野】
【０００１】
本発明は、主に海水等を取水するのに用いる取水管の取水部構造に関するものである。
【背景技術】
【０００２】
海水や湖水等の取水には一般に、硬質ポリエチレン管の外側に鉄線鎧装の施された取水管が使用されている。取水管はその先端が所要の深さの水底（海底、湖底等を含む）に位置するように布設されるが、先端の取水口が水底に着底していると、水底の砂などを吸い込んでしまうため、取水管の先端部には、取水管の取水口を水底から離した状態に保持する枠体が取り付けられている。従来の枠体は、中心に取水管の先端部を挿入する中心筒体を有し、この筒体の周りに金属パイプなどの枠部材を溶接等して多角錐台の形をした囲い枠が設けられたものである。取水管は外径が数１０ｃｍというような太いものであり、枠体は例えば長さが３ｍ、先端側の対辺距離が約３．５ｍというような大型のものである。
【０００３】
このような取水管の取水部は、取水管の先端部を枠体の中心筒体に挿入する構造であるため、長尺で太くて剛性の高い取水管の先端部を、大型の枠体の中心筒体に直接挿入することは困難である。そこで、短尺の取水管と管継ぎ手を別に用意し、短尺の取水管を枠体に挿入固定した後に、短尺の取水管を長尺の取水管の先端に管継ぎ手で接続する構造としていたが、取水管用の管継ぎ手は鎧装鉄線の引留部などを有し、構造的に複雑で、組立に手間がかかると共に、コスト高になるという問題がある。
【０００４】
このような問題を解決するために、図５乃至図８に示すような構成の取水管の取水部構造が提案されている。この取水部構造は、取水管１の先端部の外周に、この取水管１の取水口１ａを水底３から離した状態で保持する枠体２が取り付けられたものである。この枠体２は中心筒体４と、この周りに枠部材を組み合わせて設けられた囲い枠５とから構成されている。枠体２はその中心軸線を通る面（Ａ−Ａ面）で半割枠体２Ａ、２Ｂに二分割され、二分割された半割枠体２Ａ、２Ｂを半割筒体４Ａ、４Ｂで取水管１の先端部を挟み付けて締め付けることにより、取水管１に取り付けられる。
【０００５】
取水管１は、図８に示すように、硬質ポリエチレン管６の外側に複数の鉄線７による鎧装が施されたものである。取水管１の先端部の外周には、鉄線７を外側に折り返して、これを締め付け固定する端末金具８が設けられている。そして、枠体２は半割筒体４Ａ、４Ｂで端末金具８を挟み付け、半割筒体４Ａ、４Ｂを端末金具８にボルト９等で締め付け固定することにより、取水管１に対して移動しないように取り付けられる（特許文献１参照）。
【０００６】
【特許文献１】特開２００３−６４７３２号公報
【発明の開示】
【発明が解決しようとする課題】
【０００７】
取水管の先端部は、取水管１の自重や曲がり癖、端末金具８の重み等により曲がりが生じ易い。そうすると、従来の取水部構造は、枠体２を取水管１に取り付ける際、取水管１の先端部が、図８に示すように、枠体２の中心筒体４に対して傾斜するため、枠体２を取水管１に取り付けることが容易でなく、取水部構造を組み立てるのに手間がかかるという問題があった。
【０００８】
本発明の目的は、上記の問題を解決し、枠体を取水管に取り付けることが容易で、取水部構造を組み立てる手間を省くことができる取水管の取水部構造を提供することにある。
【課題を解決するための手段】
【０００９】
上記目的を達成するために、本発明の請求項１に記載された発明は、取水管の先端部の外周に、この取水管の取水口を水底から離した状態で保持する枠体が取り付けられたものであって、枠体が中心筒体と囲い枠とから構成され、枠体がその中心軸線を通る面で二分割され、二分割された半割枠体を半割筒体で取水管の先端部を挟み付けて締め付けることにより、取水管に取り付けられた取水管の取水部構造において、取水管の先端部と中心筒体の半割筒体との間に、半球凹面を有する第１係合部材とこの半球凹面に係合する半球凸面を有する第２係合部材とからなり、第１、第２係合部材の一方が取水管の先端部側に、他方が半割筒体側に取り付けられる枠体移動防止手段が設けられていることを特徴とするものである。
【００１０】
本発明の請求項２に記載された発明は、請求項１記載の取水部構造において、前記枠体移動防止手段が一対の第１係合部材と一対の第２係合部材とからなり、第１係合部材が半割筒体の内周面に、半球凹面が相対するように内向きに間隔をおいて取り付けられ、第２係合部材が取水管の先端部に設けられた端末金具の外周面に、半球凸面が対立するように外向きに間隔をおいて取り付けられていることを特徴とするものである。
【発明の効果】
【００１１】
本発明の請求項１記載の取水管の取水部構造によると、取水管の先端部と中心筒体の半割筒体との間に、半球凹面を有する第１係合部材とこの半球凹面に係合する半球凸面を有する第２係合部材とからなる枠体移動防止手段が設けられているので、枠体を取水管に取り付ける際、中心筒体の半割筒体で取水管の先端部を挟み付けると、その先端部が曲がって傾斜していても、枠体移動防止手段の第１、第２係合部材の半球凹面と半球凸面同士が干渉等することなく円滑に係合する。その結果、半割筒体による挟み付けの進行に伴い、取水管の先端部は、曲がりが矯正されて中心筒体に対する傾斜がなくなり、ほぼ平行になって、半割筒体による挟み付けの終了と同時に、枠体を取水管の先端部に固定することができる。よって、枠体を取水管に取り付けることが容易で、取水部構造を組み立てる手間を省くことができる。
【００１２】
本発明の請求項２記載の取水管の取水部構造によると、前記枠体移動防止手段が一対の第１係合部材と一対の第２係合部材とからなり、第１係合部材が半割筒体の内周面に、半球凹面が相対するように内向きに間隔をおいて取り付けられ、第２係合部材が取水管の先端部に設けられた端末金具の外周面に、半球凸面が対立するように外向きに間隔をおいて取り付けられているので、枠体が取水管の長手方向に移動するのをより確実に防止することができる。また、第２係合部材が取水管に堅固に設けられた端末金具に取り付けられ、取り付け状態が安定するので、枠体を取水管に確実に取り付けることができ、取水部構造の耐久性、信頼性を向上させることができる。更に、取水管の先端部の曲がりが大きくても、第１、第２係合部材の半球凹面と半球凸面が滑らかに係合するので、半割筒体を締め付けることによる先端部の曲がりを速やかに矯正することができ、取水部構造の組立性をより向上させることができる。
【発明を実施するための最良の形態】
【００１３】
次に、本発明の実施形態を図面を参照しながら詳細に説明する。図１は本発明に係る取水管の取水部構造の一実施形態を示す一部切開側面図、図２は図１の取水部構造の正面図、図３は図１の取水部構造において、枠体を取水管に取り付ける前の状態を示す正面図、図４は図１の取水部構造において、枠体が取水管の先端部に取り付けられた状態の先端寄りの部分を拡大して示す一部切開側面図である。
【００１４】
本実施形態の取水部構造は、図１乃至図３に示すように、取水管１０の先端部の外周に、この取水管１０の取水口１０ａを水底１４から離した状態で保持する枠体１２が取り付けられたものである。
【００１５】
枠体１２は、取水管１０の先端部外周に取り付けられる中心筒体１６と、この中心筒体１６の周りに金属パイプ等の枠部材を溶接等で接合することにより、多角錐台又は円錐台（図示の例は正六角錐台）に組み合わせて設けられた囲い枠１８とから構成されている。この枠体１２は、多角錘台の外周傾斜面が図１のように取水管１０の先端に向けて広がるように取水管１０の先端部に取り付けられる。このようにすると、枠体１２の外周の六つ平面のうち何れか一つの平面が水底１４に着底することで、取水管１０の最先端の取水口１０ａが水底１４から離れた状態に保持されることになる。
【００１６】
枠体１２は、その中心軸線を通る面（Ａ−Ａ面）で半割枠体２Ａ、２Ｂ及び半割筒体１６Ａ、１６Ｂに二分割され、二分割された半割枠体２Ａ、２Ｂ及び半割筒体１６Ａ、１６Ｂの相手方と互いに突き合わされる部分には、それぞれ結合用のフランジ２０が取り付けられている。枠体１２は、同じく二分割された中心筒体１６の各半割筒体１６Ａ、１６Ｂで取水管１０の先端部を挟み付け、各部で対向するフランジ２０をボルトナットで締め付けることにより、図１及び図２に示すように取水管１０の先端部に取り付けられ、一体の枠体１２が構成される。
【００１７】
取水管１０は、図４に示すように、硬質ポリエチレン管２２の外側に複数の鉄線２４による鎧装が施されたものである。取水管１０の先端部の外周には、鉄線２４を外側に折り返して、これを締め付け固定する端末金具２５が設けられている。鉄線２４を折り返すことにより露出された硬質ポリエチレン管２２の最先端は、端末金具２５の先端より先に突出させてある。
【００１８】
端末金具２５は、図４に示すように、外側に折り返された鉄線２４を締付け固定する締付け金具２６と、締付け金具２６の先端側（取水口１０ａ側）に接続されたパッキン受け金具２８と、パッキン受け金具２８に挿着されたパッキン３０を押えるパッキン押え金具３２とを備えている。端末金具２５の締付け金具２６、パッキン受け金具２８及びパッキン押え金具３２は最大外径が同じになるように形成されており、枠体１２の半割筒体１６Ａ、１６Ｂは端末金具２５を挟み付けるようになっている。
【００１９】
また、取水管１０の先端部と中心筒体１６の半割筒体１６Ａ、１６Ｂとの間には、半球凹面３６ａを有する第１係合部材３６とこの半球凹面３６ａに係合する半球凸面３８ａを有する第２係合部材３８とからなる枠体移動防止手段３４が設けられ、枠体１２が取水管１０に対して長手方向に移動しないようになっている。
【００２０】
図４に示す枠体移動防止手段３４は、中心筒体１６の先端側（取水口１０ａ側）における半割筒体１６Ａ、１６Ｂの内周面に、一対の環状の第１係合部材３６が、半球凹面３６ａ同士が相対（対向）するように内向きに間隔をおいて、止めねじ３７により取り付けられている。また、取水管１０の先端部に設けられた端末金具２５の外周面に、一対の環状の第２係合部材３８が、半球凸面３８ａ同士が対立するように外向きに、且つ、パッキン受け金具２８及びパッキン押え金具３２の各フランジを挟むように、間隔をおいて、パッキン受け金具２８及びパッキン押え金具３２に、例えば、６角穴付ボルト３９により取り付けられている。６角穴付ボルト３９はパッキン押え金具３２をパッキン受け金具２８に締め付け固定する部材を兼ねている。なお、枠体移動防止手段３４はその組み付けを容易にするために、取水管１０の奥側（取水口１０ａから遠い側）に取り付けられる第１係合部材３６及び第２係合部材３８は、図示省略するが、中心軸線を通る面で二分割できる構造とし、予め、パッキン受け金具２８の外周に装着しておくことが好ましい。また、図示省略するが、第１係合部材３６を取水管１０の先端部側に、第２係合部材３８を半割筒体１６Ａ、１６Ｂ側に取り付けるようにしてもよいことは勿論である。
【００２１】
枠体移動防止手段３４が、図４に示すように、一対の第１係合部材３６と一対の第２係合部材３８とからなり、第１係合部材３６が半割筒体１６Ａ、１６Ｂの内周面に、半球凹面３６ａが相対するように内向きに間隔をおいて取り付けられ、第２係合部材３８が取水管１０の先端部に設けられた端末金具２５の外周面に、半球凸面３８ａが対立するように外向きに間隔をおいて取り付けられていることにより、枠体１２が取水管１０の長手方向に移動するのをより確実に防止することができる。また、第２係合部材３８が取水管１０に堅固に設けられた端末金具２５に取り付けられ、取り付け状態が安定するので、枠体１２を取水管１０に確実に取り付けることができ、取水部構造の耐久性、信頼性を向上させることができる。更に、取水管１０の先端部の曲がりが大きくても、第１、第２係合部材３６、３８の半球凹面３６ａと半球凸面３８ａが滑らかに係合するので、半割筒体１６Ａ、１６Ｂを締め付けることにより、先端部の曲がりを速やかに矯正することができ、取水部構造の組立性をより向上させることができる。
【００２２】
なお、図１において、４０は枠体１２の最先端側（取水口１０ａに最も近い側）に位置する中心筒体１６の取水口１０ａ寄りの位置に取り付けられた吊り金具である。取水管１０の先端部に取り付けられた枠体１２は、この吊り金具４０に接続したワイヤー（図示省略）に吊り下げられて、水底の所定の位置に設置される。また、取水管１０の硬質ポリエチレン管２２の最先端は、上記のように取水管１０の先端部に枠体１２が取り付けられた状態で、枠体１２の先端より先に突出している。このような構造にすると、硬質ポリエチレン管２２の先端が直接水中に突出するので、金属製の取水口に比べ、取水口１０ａに貝やプランクトン等の異物が付着しにくく、また錆が発生しないという利点がある。
【００２３】
本発明の取水部構造によると、取水管１０の先端部と中心筒体１６の半割筒体１６Ａ、１６Ｂとの間に、半球凹面３６ａを有する第１係合部材３６とこの半球凹面３６ａに係合する半球凸面３８ａを有する第２係合部材３８とからなる枠体移動防止手段３４が設けられているので、枠体１２を取水管１０に取り付ける際、中心筒体１６の半割筒体１６Ａ、１６Ｂで取水管１０の先端部を挟み付けると、その先端部が曲がって傾斜していても、枠体移動防止手段３４の第１、第２係合部材３６、３８の半球凹面３６ａと半球凸面３８ａ同士が干渉等することなく円滑に係合する。その結果、半割筒体１６Ａ、１６Ｂによる挟み付けの進行に伴い、取水管１０の先端部は、曲がりが矯正されて中心筒体１６に対する傾斜がなくなり、ほぼ平行になって、半割筒体１６Ａ、１６Ｂによる挟み付けの終了と同時に、枠体１２を取水管１０の先端部に固定することができる。よって、枠体１２を取水管１０に取り付けることが容易で、取水部構造を組み立てる手間を省くことができる。
【図面の簡単な説明】
【００２４】
【図１】本発明に係る取水管の取水部構造の一実施形態を示す一部切開側面図である。
【図２】図１の取水部構造の正面図である。
【図３】図１の取水部構造において、枠体を取水管に取り付ける前の状態を示す正面図である。
【図４】図１の取水部構造において、枠体を取水管の先端部に取り付けた状態の先端寄りの部分を拡大して示す一部切開側面図である。
【図５】従来の取水管の取水部構造を示す一部切開側面図である。
【図６】図５の取水部構造の正面図である。
【図７】図５の取水部構造において、枠体を取水管に取り付ける前の状態を示す正面図である。
【図８】図５の取水部構造において、枠体を取水管の先端部に取り付ける際、取水管の先端部が傾斜した状態を拡大して示す一部切開側面図である。
【符号の説明】
【００２５】
１０    取水管
１０ａ  取水口
１２    枠体
１２Ａ  半割枠体
１２Ｂ  半割枠体
１４    水底
１６    中心筒体
１６Ａ  半割筒体
１６Ｂ  半割筒体
１８    囲い枠
２０    フランジ
２２    硬質ポリエチレン管
２４    鉄線
２５    端末金具
２６    締付け金具
２８    パッキン受け金具
３０    パッキン
３２    パッキン押え金具
３４    枠体移動防止手段
３６    第１係合部材
３６ａ  半球凹面
３７    止めねじ
３８    第２係合部材
３８ａ  半球凸面
３９    ６角穴付ボルト
４０    吊り金具
【図１】
2006316519.tif 000003
【図２】
2006316519.tif 000004
【図３】
2006316519.tif 000005
【図４】
2006316519.tif 000006
【図５】
2006316519.tif 000007
【図６】
2006316519.tif 000008
【図７】
2006316519.tif 000009
【図８】
2006316519.tif 000010